(57)【要約】【課題】コンパクト化を維持しつつ、収納物を容易に収納でき、かつ収納後の変形を可能にする。【解決手段】筒状の胴部２と、この胴部２の一端側に設けられた底部３とを有し、底部３によって胴部２の一端側が閉塞され、胴部２の開放された他端側が収納口４とされ、内部が収納物を収納可能な収納空間１３とされた収納袋１であって、胴部２は繊維を直交方向に織り込んだ布地５からなり、その布地５の繊維の方向Ａ，Ｂが胴部２の周方向及び軸方向に対して傾けられている。【選択図】図３
2010013164.tif 000002
【特許請求の範囲】
【請求項１】
筒状の胴部と、この胴部の一端側に設けられた底部とを有し、前記底部によって前記胴部の一端側が閉塞され、前記胴部の開放された他端側が収納口とされ、内部が収納物を収納可能な収納空間とされた収納袋であって、
前記胴部は繊維を直交方向に織り込んだ布地からなり、その布地の繊維の方向が前記胴部の周方向及び軸方向に対して傾けられていることを特徴とする収納袋。
【請求項２】
請求項１に記載の収納袋であって、
前記胴部は、前記収納口側の径が前記底部側の径よりも大きく形成されていることを特徴とする収納袋。
【請求項３】
請求項２に記載の収納袋であって、
前記胴部は、前記底部から前記収納口へ向かって次第に拡径されていることを特徴とする収納袋。
【請求項４】
請求項１から３のいずれか一項に記載の収納袋であって、
前記収納口には、周方向にわたって設けられた通し孔と、この通し孔に通された紐とが設けられ、前記通し孔の一部に形成された開口部から引き出された前記紐を引っ張ることにより、前記収納口が窄められて閉塞されることを特徴とする収納袋。
【請求項５】
請求項４に記載の収納袋であって、
前記収納口よりも前記底部側に間隔を隔てた第２の窄め位置には、周方向にわたって設けられた第２の通し孔と、この第２の通し孔に通された第２の紐とが設けられ、前記第２の通し孔の一部に形成された第２の開口部から引き出された前記第２の紐を引っ張ることにより、前記第２の窄め位置が窄められることを特徴とする収納袋。
【請求項６】
内側が収納空間とされる胴部を有し、前記胴部の開放端側に形成された収納口より収納物を収納可能な収納具であって、
前記胴部は繊維を直交方向に織り込んだ布地からなり、その布地の繊維の方向が前記胴部への収納物挿入方向及び該収納物挿入方向と直交する方向に対して傾けられていることを特徴とする収納具。
【発明の詳細な説明】
【技術分野】
【０００１】
本発明は、例えば、寝袋やダウンジャケットなどを収納する収納袋や収納具に関するものである。
【背景技術】
【０００２】
寝袋やダウンジャケットなどの収納物を収納する収納袋としては、布で形成した有底筒状のものがある。このような収納袋では、これら寝袋やダウンジャケットなどの収納物を丸めて収納袋の開口部から押し込むことにより収納している。
【０００３】
【特許文献１】特開２００２−１７９０８３号公報
【発明の開示】
【発明が解決しようとする課題】
【０００４】
ところで、収納袋は、収納物の収納状態でのコンパクト化のために極力小さく形成されている。このため、嵩張っている寝袋やダウンジャケットなどの反発力の大きな収納物を収納袋に入れるには、かなりの力で圧縮して丸めなければならず、特に非力なユーザに負担がかかっていた。
【０００５】
本発明は、上記事情に鑑みてなされたもので、コンパクト化を維持しつつ、容易に収納物を収納でき、かつ収納後の変形を可能にすることを目的とする。
【課題を解決するための手段】
【０００６】
上記目的を達成するために、本発明の収納袋は、筒状の胴部と、この胴部の一端側に設けられた底部とを有し、前記底部によって前記胴部の一端側が閉塞され、前記胴部の開放された他端側が収納口とされ、内部が収納物を収納可能な収納空間とされた収納袋であって、前記胴部は繊維を直交方向に織り込んだ布地からなり、その布地の繊維の方向が前記胴部の周方向及び軸方向に対して傾けられていることを特徴とする。
また、本発明の収納具は、内側が収納空間とされる胴部を有し、前記胴部の開放端側に形成された収納口より収納物を収納可能な収納具（例えば、カバンやリュック）であって、前記胴部は繊維を直交方向に織り込んだ布地からなり、その布地の繊維の方向が前記胴部への収納物挿入方向（例えば、当該収納具の収納口側から底部側に向かう方向）及び該収納物挿入方向と直交する方向に対して傾けられていることを特徴とする。
【０００７】
これらの構成によれば、繊維を直交方向に織り込んだ布地の繊維の方向が胴部の周方向（収納物挿入方向と直交する方向）及び軸方向（収納物挿入方向）に対して傾けられているので、胴部が周方向（収納物挿入方向と直交する方向）及び軸方向に（収納物挿入方向と直交する方向）伸縮可能とされる。したがって、胴部を大きくしておかなくても収納物を収納空間内に収納するにあたり、胴部が縦にも横にも広がることにより、収納物の収納を円滑に行うことができる。また、収納物の収納後に、周方向（収納物挿入方向と直交する方向）に伸びた胴部が布地の復元力によって収縮する。これにより、コンパクト化を維持しつつ収納物の収納の容易化を図ることができる。
特に、寝袋やダウンジャケットなどのように反発力が大きく嵩張る収納物を収納する場合でも、ある程度圧縮すれば容易に収納することができ、ユーザにかかる負担を極力抑えることができる。
また、この収納袋によれば、収納物を収納した状態においても、径方向（横方向）あるいは軸方向（縦方向）に胴部が伸縮するので、カバンやリュックなどに入れる際に、デッドスペースに合わせて変形させて入れることができる。
【０００８】
また、前記胴部は、前記収納口側の径が前記底部側の径よりも大きく形成されていても良い。
この構成によれば、径が大きくされた収納口から収納物を容易に収納することができ、収納物の収納のさらなる容易化を図ることができる。
【０００９】
また、前記胴部は、前記底部から前記収納口へ向かって次第に拡径されていても良い。
この構成によれば、収納空間内に収納物を押し込む際に、収納物を円滑に収納空間内へ導くことができ、さらなる収納の容易化を図ることができる。
【００１０】
また、前記収納口には、周方向にわたって設けられた通し孔と、この通し孔に通された紐とが設けられ、前記通し孔の一部に形成された開口部から引き出された前記紐を引っ張ることにより、前記収納口が窄められて閉塞されるものでも良い。
この構成によれば、収納空間内に収納物を収納した状態にて、紐を引っ張ることにより、容易に収納口を窄めて閉じることができる。
【００１１】
また、前記収納口よりも前記底部側に間隔を隔てた第２の窄め位置には、周方向にわたって設けられた第２の通し孔と、この第２の通し孔に通された第２の紐とが設けられ、前記第２の通し孔の一部に形成された第２の開口部から引き出された前記第２の紐を引っ張ることにより、前記第２の窄め位置が窄められるものでも良い。
この構成によれば、収納空間内に収納物を収納し、収納口を窄めて閉じた状態にて、第２の紐を引っ張り、収納口における窄め位置とは別個に該収納口よりも底部側の第２の窄め位置を窄めることにより、収納口をより良好に閉塞することができる。
【発明の効果】
【００１２】
本発明によれば、コンパクト化を維持しつつ、収納物を容易に収納することができる。
【発明を実施するための最良の形態】
【００１３】
次に、本発明の一実施の形態に係る収納袋について説明する。
図１は本実施形態の収納袋の収納口側から視た斜視図、図２は収納袋の底部側から視た斜視図、図３は収納袋の側面図である。
図１から図３に示すように、この収納袋１は、円筒状の胴部２と、この胴部２の軸方向一端側に設けられた底部３とを有し、底部３によって胴部２の軸方向一端側が閉塞され、内部が収納空間１３とされている。
【００１４】
胴部２の底部３とは反対側の軸方向他端は開放されており、収納物を出し入れする収納口４とされている。
胴部２は、例えば合成繊維、綿やウール等の天然繊維等からなる略矩形状の布地５から形成されている。胴部２は、矩形状の布地５を円筒状に丸め、その両側部を縫い合わせることにより形成されている。そして、この胴部２の軸方向一端に、合成繊維の布地からなる略円形の底部３の周縁を縫い合わせることにより、底部３が、胴部２の軸方向一端を閉塞するように設けられている。
【００１５】
また、胴部２の軸方向他端の収納口４には、布地５を折り返してその折り返し部を周方向にわたって縫い付けることにより、縁部に、周方向にわたって通し孔６が形成されており、この通し孔６に紐７が通されている。この紐７は、その両端が通し孔６の一部に形成された開口部６ａから外部に引き出されている。この紐７の引き出し部分には、ロック部材８が設けられており、このロック部材８が配置された箇所にて、紐７の両端近傍が束ねられる。ロック部材８は付勢部材（図示略）によって付勢されて紐７を束ねた状態に固定する押圧部８ａを有している。このロック部材８では、付勢部材の付勢力に抗して押圧部８ａを押し込むことにより、紐７の固定が解除され、ロック部材８の配置の位置変更が可能とされている。
【００１６】
また、胴部２の収納口４よりも底部３側に所定の間隔を隔てた第２の窄め位置にも、布地５を折り返してその折り返し部を周方向にわたって縫い付けることにより、周方向にわたって通し孔（第２の通し孔）９が形成されており、この通し孔９にも紐（第２の紐）１１が通されている。この紐１１は、その両端が通し孔９の一部に形成された開口部９ａから外部に引き出されている。この紐１１の引き出し部分にも、ロック部材１２が設けられており、このロック部材１２が配置された箇所にて、紐１１の両端近傍が束ねられる。ロック部材１２も付勢部材（図示略）によって付勢されて紐１１を束ねた状態に固定する押圧部１２ａを有している。このロック部材１２の場合も、付勢部材の付勢力に抗して押圧部１２ａを押し込むことにより、紐１１の固定が解除され、ロック部材１２の配置の位置変更が可能とされている。
【００１７】
また、収納袋１の胴部２を構成する布地５は、例えば７０デニールのナイロン糸を直交方向に織り込んだもので、その繊維の方向がバイアス方向とされている。
具体的には、縦横の繊維の方向Ａ，Ｂ（図３参照）が胴部２の周方向及び軸方向に対して傾けられている。これにより、この収納袋１は、その胴部２が、周方向及び軸方向へ伸縮可能とされている。なお、この傾け角度としては、約４５°とされており、周方向及び軸方向への伸縮率が略同一にされている。
【００１８】
また、胴部２は、その内径が、収納口４に向かって次第に拡径されており、収納口４の径が底部３側の径に比べて大きく形成されている。
【００１９】
次に、上記の収納袋１の収納空間１３内へ収納物を収納する場合について説明する。
図４に示すように、寝袋やダウンジャケットなどの収納物Ｓを丸め、収納袋１の広げた収納口４へ押し込む。
【００２０】
このとき、収納袋１は、その胴部２の内径が、収納口４に向かって次第に拡径され、収納口４の径が底部３側よりも大きく形成されているので、収納物Ｓを容易に収納口４へ入り込ませることができる。
また、胴部２が、底部３から収納口４へ向かって次第に拡径されているので、収納空間１３内に収納物Ｓを押し込む際にも、収納物Ｓを円滑に収納空間１３内へ導くことができる。
【００２１】
さらに、収納物Ｓを収納空間１３内へ押し込むと、胴部２を構成する布地５が周方向へ伸び、これにより、収納空間１３が周方向に広げられる。これにより、非力なユーザでも収納空間１３へ収納物Ｓを容易に押し込むことができる。
【００２２】
収納物Ｓを収納空間１３に押し込んだら、収納口４の紐７を引っ張る。このようにすると、紐７が通された通し孔６部分が縮径されることにより収納口４が窄められる。この状態にて、ロック部材８の押圧部８ａを押して紐７への固定を解除し、ロック部材８に対して紐７の端部を引っ張り、ロック部材８の位置を通し孔６の開口部６ａの近傍に移動させて配置し、押圧部８ａの押圧を解除して紐７を固定する。このようにすると、図５に示すように、収納口４の通し孔６部分が紐７によって窄められた状態に維持される。
【００２３】
その後、さらに、収納物Ｓを押し込み、収納口４の近傍の紐１１を引っ張る。このようにすると、紐１１が通された通し孔９部分が縮径されることにより収納口４の近傍が窄められる。この状態にて、ロック部材１２の押圧部１２ａを押して紐１１への固定を解除し、ロック部材１２に対して紐１１の端部を引っ張り、ロック部材１２の位置を通し孔９の開口部９ａの近傍に移動させて配置し、押圧部１２ａの押圧を解除して紐１１を固定する。このようにすると、図６に示すように、収納口４の近傍の通し孔９部分が紐１１によって窄められた状態に維持される。
【００２４】
そして、上記のように収納物Ｓを収納空間１３へ押し込んで収納した後は、周方向に伸びていた胴部２の布地５が繊維の弾性及び織り込みの力などの復元力によって収縮し、収納袋１の全体が軸方向に僅かに伸びながら縮径される。
【００２５】
以上説明したように、上記実施形態の収納袋１によれば、繊維を直交方向に織り込んだ布地５の繊維の方向Ａ，Ｂが胴部２の周方向及び軸方向に対して傾けられているので、胴部２が周方向及び軸方向に伸縮可能とされる。
【００２６】
したがって、胴部２を予め大きく形成しておかなくても収納物Ｓを収納空間１３内に収納するにあたり、胴部２が周方向に広がることにより、収納物Ｓの収納を円滑に行うことができる。また、収納物Ｓの収納後に、周方向に伸びた胴部２が布地５の復元力によって収縮する。これにより、コンパクト化を維持しつつ収納物Ｓの収納の容易化を図ることができる。
【００２７】
特に、寝袋やダウンジャケットなどのように反発力が大きく嵩張る収納物Ｓを収納する場合でも、ある程度圧縮すれば容易に収納することができ、非力なユーザにかかる負担を極力抑えることができる。
さらに、収納物Ｓを収納した状態おいても、図７（ａ），（ｂ）に示すように、径方向あるいは軸方向に胴部２が伸縮するので、カバンやリュックなどに入れる際に、デッドスペースに合わせて収納袋１を変形させて入れることができる。
【００２８】
また、胴部２の収納口４側の径が大きくされているので、収納口４から収納物Ｓを容易に収納することができ、収納物Ｓの収納のさらなる容易化を図ることができる。
また、胴部２が底部３から収納口４へ向かって次第に拡径されているので、収納空間１３内に収納物Ｓを押し込む際に、収納物Ｓを円滑に収納空間１３内へ導くことができ、さらなる収納の容易化を図ることができる。
【００２９】
また、収納空間１３内に収納物Ｓを収納した状態にて、紐７を引っ張ることにより、容易に収納口４を窄めて閉じることができる。
さらに、収納口４を窄めて閉じた状態にて、収納口４の近傍にて、紐１１を引っ張り、収納口４の近傍部分を窄めることにより、収納口４をより良好に閉塞することができる。
【００３０】
なお、上記実施形態では布地５の繊維の方向Ａ，Ｂを、収納袋１の胴部２の周方向及び軸方向に対して略４５°に傾けた場合を例にとって説明したが、傾ける角度は４５°に限定されることはなく、伸縮させたい量や方向に応じて設定することができる。
【００３１】
また、上記実施形態では、寝袋あるいはダウンジャケットなどの収納物Ｓを収納する場合を例として説明したが、収納袋１へ収納する収納物Ｓとしては、寝袋やダウンジャケットに限らない。
【００３２】
さらに、上記実施形態では、寝袋あるいはダウンジャケットなどの収納物Ｓを収納する収納袋を例として説明したが、カバンやリュック等の収納具への適用が可能なことはもちろんである。この場合は、カバンやリュック等の胴部を構成する布地の繊維織り込み方向が、収納物を挿入する際に当該カバンやリュック等の正面視にて収納物の挿入方向及び該挿入方向と直交する方向に対して傾けられていることになる。
【図面の簡単な説明】
【００３３】
【図１】本実施形態の収納袋の収納口側から視た斜視図である。
【図２】本実施形態の収納袋の底部側から視た斜視図である。
【図３】本実施形態の収納袋の側面図である。
【図４】収納袋への収納物の収納状態を示す側面図である。
【図５】収納袋への収納物の収納の仕方を示す収納口側から視た斜視図である。
【図６】収納袋への収納物の収納の仕方を示す収納口側から視た斜視図である。
【図７】収納袋の伸縮状態を示す図であって、（ａ）（ｂ）はそれぞれ収納袋の側面図である。
【符号の説明】
【００３４】
１  収納袋
２  胴部
３  底部
４  収納口
６  通し孔
７  紐
９  通し孔（第２の通し孔）
１１  紐（第２の紐）
１３  収納空間
Ａ，Ｂ  繊維の方向
Ｓ  収納物
【図１】
2010013164.tif 000003
【図２】
2010013164.tif 000004
【図３】
2010013164.tif 000005
【図４】
2010013164.tif 000006
【図５】
2010013164.tif 000007
【図６】
2010013164.tif 000008
【図７】
2010013164.tif 000009